(57)【要約】      （修正有）【課題】簡単な構造でカムアームをロック位置に保持して偶然的なカムアームの回動による不用意なカプラー及びアダプターの分離を長期間に亘り防止する。【解決手段】ロック手段４３でロック位置Ｐ２に保持されたカムアーム３を、ロック位置Ｐ２からロック解除位置Ｐ１に向け回動させるなど、カムアーム３やロック部材４にロック解除位置Ｐ１へ向かう強い外力が作用しても、一対の板状体４１の一端面に設けたストッパー部４２がそれぞれカプラー１の表面１ｅに当接しているため、その当接方向へ圧縮荷重を一対の板状体４１が分散して受けることになる。それにより、各ストッパー部４２に作用する圧縮荷重が半分に軽減されるので、それぞれのストッパー部４２の形状は変形せず、ロック部材４の全体を移動不能に固定するストッパー機能が継続する。【選択図】図１
2015068467.tif 000002
【特許請求の範囲】
【請求項１】
第一筒状部を有するカプラーと、
前記第一筒状部に対して軸方向へ着脱自在に挿入される第二筒状部を有するアダプターと、
前記カプラーに対しロック解除位置及びロック位置に亘って回動自在に設けられ、前記ロック解除位置にある時には前記第一筒状部に対し前記第二筒状部を軸方向へ移動可能にし、前記ロック位置にある時には前記第一筒状部に対し前記第二筒状部を軸方向へ移動不能に結合するカムアームと、
前記カプラーに対し前記カムアームと並んで取り付けられるロック部材と、を備え、
前記ロック部材は、前記カムアームの両側面に沿って一対設けられる板状体と、前記板状体の一端面にそれぞれ設けられるストッパー部と、前記板状体に前記カムアームと前記ロック位置で係合して前記カムアームを回動不能に保持させるようにそれぞれ設けられるロック手段と、を有し、前記ストッパー部が前記カプラーの表面とそれぞれ当接することで前記板状体を移動不能に固定させるようにしたことを特徴とするレバー式管継手のロック装置。
【請求項２】
前記ロック部材が、前記板状体の一端側に亘って設けられる連結部を有し、該連結部を介して前記板状体の一端側が連結されることを特徴とする請求項１記載のレバー式管継手のロック装置。
【請求項３】
第一筒状部を有するカプラーと、
前記第一筒状部と軸方向へ着脱自在に挿入される第二筒状部を有するアダプターと、
前記カプラーに対しロック解除位置及びロック位置に亘って回動自在に設けられ、前記ロック解除位置にある時には前記第一筒状部に対し前記第二筒状部を軸方向へ移動可能にし、前記ロック位置にある時には前記第一筒状部に対し前記第二筒状部を軸方向へ移動不能に結合するカムアームと、を備えたレバー式管継手に対し、前記カプラーに対し前記カムアームと並んで取り付けられるロック部材であって、
前記カムアームの両側面に沿って一対設けられる板状体と、
前記板状体の一端面に前記カプラーの表面と当接することで前記板状体を移動不能に固定させるようにそれぞれ設けられるストッパー部と、
前記板状体に前記カムアームと前記ロック位置で係合して前記カムアームを回動不能に保持させるようにそれぞれ設けられるロック手段と、を有することを特徴とするロック部材。
【発明の詳細な説明】
【技術分野】
【０００１】
本発明は、雌形のカプラーと雄形のアダプターを着脱自在に結合するレバー式管継手（カップリング）において、カムアームを所定位置に保持するためのロック装置と、それに用いられるロック部材に関する。
【背景技術】
【０００２】
従来、この種のレバー式管継手として、雌形の連結部材の対向外面から１対のピボット耳部が突出形成され、これらピボット耳部の間にカムアームと板状のロック部材を配置してピンが挿通されることにより、カムアーム及びロック部材が平行に枢着され、カムアームをロック位置とロック解除位置に亘って回動自在に支持するものがある。ロック部材は、そのベース部の一端部を折り曲げてストッパー面が形成され、このストッパー面を連結部材のピボット耳部に対して該ストッパー面の折り曲げ方向へ突き当てることで、ロック部材が回転不能に固定され、ベース部の他端にはカムアームの凹部と係合する突起を一体形成するとともに、カムアームの反対側から間隔を置いて圧力面が一体形成される。そして、カムアームをロック位置に回動させた時に、その凹部がロック部材の突起と係合することで、カムアームが回動不能に保持され、ロック位置にロックする。また、このロック状態において、圧力面をカムアームに向け押圧してロック部材のベース部を弾性変形させることにより、ベース部が弾性変形して突起がカムアームの凹部から外れ、カムアームをロック位置からロック解除位置に向け回動可能にしている（例えば、特許文献１参照）。
【先行技術文献】
【特許文献】
【０００３】
【特許文献１】米国特許第５７９１６９４号明細書
【発明の概要】
【発明が解決しようとする課題】
【０００４】
このような従来のレバー式管継手のロック装置では、ロック部材の一部を折り曲げ加工したストッパー面が、連結部材側に当接することで、ロック部材の回転移動が阻止され、圧力面の押圧によりロック部材を弾性変形させることで、カムアームとロック解除されるようにしている。
ところで、特に不慣れな作業者は、圧力面が押圧されずにロック部材とのロック解除が行われないまま、カムアームを回動させることが考えられる。この場合にはストッパー面に強い負荷がかかるため、ストッパー面が折り曲げ加工した方向と逆向きに変形しないように、ロック部材を変形し難い材料で形成することが好ましい。
しかし、カムアームとのロック解除をスムーズに行うためには、ロック部材を弾力性に優れた変形可能な材料で形成する必要がある。
つまり、ロック部材においてその一端部のストッパー面と、それを除くベース部とでは相反する性能を持つ必要があり、これら両方の機能を持ち合わせたロック部材を製造することは極めて困難である。
そこで、現実的なロック部材の製造方法としては、カムアームとのロック解除をスムーズに行えるように、ロック部材の全体を弾性変形可能な材料で薄板状に形成する方法しかなかった。そのため、ロック部材とのロック解除が行われずにカムアームを回動させる行為によってストッパー面に強い外力を受けると、ストッパー面がその折り曲げ方向と逆向きへ徐々に変形してピボット耳部から徐々に突出し、最終的には折り曲げ前の形状に戻ってしまった。
それにより、ストッパーとしての機能が著しく低下するため、ロック部材のみを頻繁に交換する必要があり、その分だけ稼働率が低下するという問題があった。
さらに、ロック部材の全体が弾性変形し易いため、比較的に小さな衝撃が発生しても、偶発的にカムアームとロック解除されてしまうおそれがあるという問題があった。
また、ピンによって、レバー形状のカムアームと薄板状のロック部材が僅かな隙間を挟んで平行に並んで配置されるため、作業者が手でカムアームをロック位置に向けて回動すると、勢い余って作業者の掌が変形した薄板状のロック部材の端縁に突き当たって、痛みを感じるという問題もあった。
【０００５】
本発明は、このような問題に対処することを課題とするものであり、簡単な構造でカムアームをロック位置に保持して偶然的なカムアームの回動による不用意なカプラー及びアダプターの分離を長期間に亘り防止すること、などを目的とするものである。
【課題を解決するための手段】
【０００６】
このような目的を達成するために本発明によるレバー式管継手のロック装置は、第一筒状部を有するカプラーと、前記第一筒状部に対して軸方向へ着脱自在に挿入される第二筒状部を有するアダプターと、前記カプラーに対しロック解除位置及びロック位置に亘って回動自在に設けられ、前記ロック解除位置にある時には前記第一筒状部に対し前記第二筒状部を軸方向へ移動可能にし、前記ロック位置にある時には前記第一筒状部に対し前記第二筒状部を軸方向へ移動不能に結合するカムアームと、前記カプラーに対し前記カムアームと並んで取り付けられるロック部材と、を備え、前記ロック部材は、前記カムアームの両側面に沿って一対設けられる板状体と、前記板状体の一端面にそれぞれ設けられるストッパー部と、前記板状体に前記カムアームと前記ロック位置で係合して前記カムアームを回動不能に保持させるようにそれぞれ設けられるロック手段と、を有し、前記ストッパー部が前記カプラーの表面とそれぞれ当接することで前記板状体を移動不能に固定させるようにしたことを特徴とする。
【０００７】
また本発明によるロック部材は、第一筒状部を有するカプラーと、前記第一筒状部と軸方向へ着脱自在に挿入される第二筒状部を有するアダプターと、前記カプラーに対しロック解除位置及びロック位置に亘って回動自在に設けられ、前記ロック解除位置にある時には前記第一筒状部に対し前記第二筒状部を軸方向へ移動可能にし、前記ロック位置にある時には前記第一筒状部に対し前記第二筒状部を軸方向へ移動不能に結合するカムアームと、を備えたレバー式管継手に対し、前記カプラーに対し前記カムアームと並んで取り付けられるロック部材であって、前記カムアームの両側面に沿って一対設けられる板状体と、前記板状体の一端面に前記カプラーの表面と当接することで前記板状体を移動不能に固定させるようにそれぞれ設けられるストッパー部と、前記板状体に前記カムアームと前記ロック位置で係合して前記カムアームを回動不能に保持させるようにそれぞれ設けられるロック手段と、を有することを特徴とする。
【発明の効果】
【０００８】
前述した特徴を有する本発明によるレバー式管継手のロック装置及びロック部材は、ロック手段でロック位置に保持されたカムアームを、ロック位置からロック解除位置に向け回動させるなど、カムアームやロック部材にロック解除位置へ向かう強い外力が作用しても、一対の板状体の一端面に設けたストッパー部がそれぞれカプラーの表面に当接しているため、その当接方向へ圧縮荷重を一対の板状体が分散して受けることになる。それにより、各ストッパー部に作用する圧縮荷重が半分に軽減されるので、それぞれのストッパー部の形状は変形せず、ロック部材の全体を移動不能に固定するストッパー機能が継続する。
したがって、簡単な構造でカムアームをロック位置に保持して偶然的なカムアームの回動による不用意なカプラー及びアダプターの分離を長期間に亘り防止することができる。
その結果、ロック部材とのロック解除が行われずにカムアームを回動させる行為でストッパー面に強い外力を受けることにより、ストッパー面がその折り曲げ方向と逆向きに変形してしまう従来のものに比べ、ロック部材の交換時期が延長されて寿命が延び、稼働率の向上が図れるとともに経済的である。
【図面の簡単な説明】
【０００９】
【図１】本発明の実施形態に係るレバー式管継手のロック装置及びロック部材の全体構成を示す説明図であり、（ａ）がカプラー及びアダプターの結合前の斜視図、（ｂ）が結合後の斜視図である。
【図２】本発明の他の実施例に係るレバー式管継手のロック装置及びロック部材の全体構成を示す説明図であり、（ａ）がカプラー及びアダプターの結合前の斜視図、（ｂ）が結合後の斜視図、（ｃ）が図２（ｂ）の（２Ｃ）−（２Ｃ）線に沿える拡大縦断面図である。
【図３】本発明の他の実施例に係るレバー式管継手のロック装置及びロック部材の全体構成を示す説明図であり、（ａ）がカプラー及びアダプターの結合前の斜視図、（ｂ）が結合後の斜視図、（ｃ）がロック手段の変形例を示す部分的な斜視図である。
【図４】本発明の他の実施例に係るレバー式管継手のロック装置及びロック部材の全体構成を示す説明図であり、（ａ）がカプラー及びアダプターの結合前の斜視図、（ｂ）が結合後の斜視図である。
【発明を実施するための形態】
【００１０】
以下、本発明の実施形態を図面に基づいて詳細に説明する。
本発明の実施形態に係るレバー式管継手Ａのロック装置は、図１〜図４に示すように、第一の管体Ｂが接続されて第一筒状部１ａを有するカプラー１と、第二の管体Ｃが接続されて第二筒状部２ａを有するアダプター２と、カプラー１に回動自在に設けられるカムアーム３と、カプラー１に対しカムアーム３と並んで取り付けられるロック部材４と、を主要な構成要素として備えている。
さらに、カムアーム３及びロック部材４は、レバー式管継手Ａのカプラー１に対して着脱自在に取り付けられ、それぞれ交換可能になっている。
【００１１】
カプラー１は、金属や硬質合成樹脂などの硬質材料で円筒状に形成され、その一端開口には、例えば金属製やその他の材料からなる第一の管体Ｂを着脱自在に接続して可撓性ホースなどが取り付け可能となり、それと反対側でアダプター２と対向する他端には、雌形の第一筒状部１ａを形成している。
カプラー１において第一筒状部１ａの外側には、後述するカムアーム３が回動自在に設けられている。カプラー１の外周面において対称となる位置に一対のカムアーム３を配置することが好ましい。
アダプター２は、金属や硬質合成樹脂などの硬質材料で円筒状に形成され、その一端開口には、例えば金属製やその他の材料からなる第二の管体Ｃを着脱自在に接続して可撓性ホースなどが取り付け可能となり、それと反対側でカプラー１と対向する他端には、第一筒状部１ａよりも小径でそれに対して軸方向（Ｘ方向）へ着脱自在に挿入（嵌入）される雄形の第二筒状部２ａを形成している。
アダプター２において第二筒状部２ａの外周面には、後述するカムアーム３のカム面３ａと係合する周溝２ｂが形成されている。
カプラー１及びアダプター２の具体例としては、米国特許第５，２９５，７１７号、米国特許第５，４３５，６０４号明細書などに記載されている。
【００１２】
詳しくは、カプラー１の第一筒状部１ａにおいて外周面の軸方向と交差する幅方向（Ｙ方向）へ対称となる位置に、一対の突起部１ｂがそれぞれ合計四つ突設されるとともに、一対の突起部１ｂで挟まれた位置には、開口部１ｃがそれぞれ合計二つ開設されている。
一対の突起部１ｂの間には、後述するカムアーム３がカプラー１の軸方向と略平行に配置され、突起部１ｂ及びカムアーム３の基端部に亘ってピン１ｄを挿通することにより、カプラー１に対してカムアーム３が回動自在に枢着され、カムアーム３の回動操作に伴って、カム面３ａが開口部１ｃを貫通して第一筒状部１ａの内周面に向け突出するように配置している。
【００１３】
カムアーム３は、カプラー１の第一筒状部１ａに対してアダプター２の第二筒状部２ａを軸方向へ挿入又は取り外しを可能にするロック解除位置Ｐ１と、カプラー１の第一筒状部１ａに対してアダプター２の第二筒状部２ａが挿入されて両者が結合されたロック位置Ｐ２と、に亘って手動操作するためのレバーである。
カムアーム３の基端には、カム面３ａが形成され、その近傍にピン１ｄが貫通する枢支孔３ｂを開穿している。カムアーム３の先端には、リング３ｒを取り付けることが好ましい。
【００１４】
さらに、カムアーム３のカム面３ａは、その回動操作によって、ピン１ｄからカム面３ａまでの径方向（Ｚ方向）長さが変化するように設計されている。
図１（ａ），図２（ａ），図３（ａ）及び図４（ａ）に示される例では、カムアーム３がロック解除位置Ｐ１に回動した状態を表しており、カムアーム３の一部がカプラー１の開口部１ｃの口縁に突き当たることで、それ以上の回動を規制させている。
ロック解除位置Ｐ１では、カムアーム３がカプラー１の径方向外側へ向けて延びるように回動しており、この状態でカム面３ａの径方向内側へ突出量が最小となり、カプラー１の開口部１ｃ内に配置されて第一筒状部１ａの内周面に突出せず、第一筒状部１ａの内周面に沿ってアダプター２の第二筒状部２ａを軸方向へ往復動可能にしている。
【００１５】
また、図１（ｂ），図２（ｂ），図３（ｂ）及び図４（ｂ）に示される例では、カムアーム３がロック位置Ｐ２に回動した状態を表しており、カムアーム３の一部がカプラー１の外周面に後述するロック部材４を介して間接的に突き当たるか、又はカプラー１の外周面に直接突き当たることで、それ以上の回動を規制させている。
ロック位置Ｐ２では、カムアーム３がカプラー１の径方向外側へ向けてカプラー１の一端と軸方向へ略平行に延びるように回動しており、この状態でカム面３ａの径方向内側へ突出量が最大となり、カプラー１の開口部１ｃから第一筒状部１ａの内周面に向け突出して第二筒状部２ａの外周面の周溝２ｂと係合し、第一筒状部１ａの内周面に対してアダプター２の第二筒状部２ａを軸方向へ移動不能にしている。
さらに、カプラー１において第一筒状部１ａの内部には、アダプター２において第二筒状部２ａの先端２ｃと対向する環状シール材（図示しない）が設けられ、図１（ｂ）などに示されるカプラー１とアダプター２の結合時には、第二筒状部２ａの先端２ｃが前記環状シール材に圧接して該環状シール材を部分的に圧縮変形させることにより、両者間が密閉されている。
【００１６】
ところで、図１（ｂ），図２（ｂ），図３（ｂ）及び図４（ｂ）に示されるロック位置Ｐ２からのカムアーム３の偶然的な回動は、カプラー１の第一筒状部１ａとアダプター２の第二筒状部２ａとの結合を解いて、第一の管体Ｂ及び第二の管体Ｃを通る流体が流出する危険性がある。
これを防止するため、後述するロック部材４によってカムアーム３がロック位置Ｐ２からロック解除位置Ｐ１へ向けて偶然的に回動しないようにロックしている。
ロック部材４は、カムアーム３の両側面３ｃに沿って一対設けられる板状体４１と、板状体４１の一端面にカプラー１の表面１ｅと対向してそれぞれ設けられるストッパー部４２と、板状体４１にそれぞれ設けられてカムアーム３とロック位置Ｐ２で係合しカムアーム３を回動不能に保持させるためのロック手段４３と、を主要な構成要素として有している。
【００１７】
一対の板状体４１は、カムアーム３の両側面３ｃとそれぞれ互いに接近して略平行に並ぶようにセットされている。詳しくは、カプラー１の突起部１ｂとカムアーム３の両側面３ｃとの間に、それぞれ移動不能に取り付けられている。
板状体４１は、例えばステンレスなどの錆難く且つ剛性がある金属などの硬質材料で帯板状に形成され、その長手方向（Ｘ方向）やそれと交差する短手方向（Ｚ方向）に荷重を受けても圧縮変形しないが、厚み寸法を肉薄にすることで、厚み方向（Ｙ方向）へは若干変形可能となるように構成することが好ましい。板状体４１の短手方向の一端面には、カプラー１の表面１ｅと当接するストッパー部４２が形成されている。
つまり、板状体４１は、ストッパー部４２とカプラー１の表面１ｅとの当接方向、すなわち板状体４１の短手方向へは変形不能に形成されているが、板状体４１の厚み方向へは弾性変形可能に構成することが好ましい。
【００１８】
板状体４１のセット例としては、板状体４１に貫通孔４１ａを開穿し、一対の突起部１ｂとカムアーム３の両側面３ｃとの間に形成される一対の隙間に、板状体４１を挟み込むようにそれぞれ配置した状態で、貫通孔４１ａにピン１ｄを挿通することにより、カプラー１の表面１ｅにストッパー部４２が当接して板状体４１を回動不能に固定させるように取り付けられている。
また、その他の例として図示しないが、貫通孔４１ａに代えてピン１ｄと嵌合する略Ｃ形の凹部を形成し、この凹部をピン１ｄに対して脱落不能に嵌合させることにより、カプラー１の表面１ｅにストッパー部４２が当接して板状体４１を回動不能に固定させ、ロック部材４の交換時には突起部１ｂからピン１ｄを抜き取ることなく、工具などを用いてロック部材４のみが取り外し可能にすることも可能である。
ストッパー部４２の具体例としては、図示される場合、ストッパー部４２となる板状体４１の短手方向の一端面が、カプラー１の表面１ｅに沿うように略平面状に形成されている。
また、その他の例として図示しないが、これに加えて、カプラー１の開口部１ｃに嵌入する突起部（図示しない）を一体形成して、ストッパー部４２となる板状体４１の一端面において略全体が、カプラー１の表面１ｅ及びカプラー１の開口部１ｃの開口縁と当接させることも可能である。
【００１９】
このような本発明の実施形態に係るレバー式管継手Ａのロック装置によると、図１（ａ），図２（ａ），図３（ａ）及び図４（ａ）に示されるカムアーム３がロック解除位置Ｐ１に回動した状態で、カプラー１の第一筒状部１ａにアダプター２の第二筒状部２ａを軸方向（Ｘ方向）へ挿入（嵌入）した後に、図１（ｂ），図２（ｂ），図３（ｂ）及び図４（ｂ）に示されるように、カムアーム３をロック位置Ｐ２に回動させることにより、カムアーム３の一部がロック部材４のロック手段４３と係合して、カムアーム３がロック位置Ｐ２からロック解除位置Ｐ１へ偶然的に回動しないようにロック保持している。
このロック状態で不慣れな作業者が、ロック手段４３でロック位置Ｐ２にロック保持されたカムアーム３を、ロック位置Ｐ２からロック解除位置Ｐ１に向け回動させるなど、カムアーム３やロック部材４にロック解除位置Ｐ１へ向かう強い外力が作用しても、一対の板状体４１の一端面に設けたストッパー部４２がそれぞれカプラー１の表面１ｅに当接しているため、その当接方向へ圧縮荷重を一対の板状体４１が分散して受けることになる。
それにより、各ストッパー部４２に作用する圧縮荷重が半分に軽減されるので、それぞれのストッパー部４２の形状は変形せず、ロック部材４の全体を移動不能に固定するストッパー機能が継続する。
したがって、簡単な構造でカムアーム３をロック位置Ｐ２に保持して偶然的なカムアーム３の回動による不用意なカプラー１及びアダプター２の分離を長期間に亘り防止することができる。
その結果、ロック部材４の交換時期が延長されて寿命が延び、稼働率の向上が図れるとともに経済的である。
【実施例１】
【００２０】
次に、本発明の各実施例を図面に基づいて説明する。
この実施例１は、図１（ａ）（ｂ）に示すように、ロック手段４３が一対の板状体４１の弾性変形を利用しており、ロック解除位置Ｐ１からロック位置Ｐ２へ向け回動したカムアーム３の両側面３ｃをロック手段４３と弾性的に係合させることで、カムアーム３をロック位置Ｐ２からロック解除位置Ｐ１へ向けて偶然的に回動しないようにロックしている。
詳しく説明すると、一対の板状体４１に、厚み方向（Ｙ方向）へ弾性変形可能な挟持部４３ａを形成し、ロック位置Ｐ２へ向け回動したカムアーム３が挟持部４３ａの間に挟み込まれ、その両側面３ｃを挟持部４３ａの内面で弾性的に押圧してカムアーム３の回動方向（Ｚ方向）へ弾性的に係合させることにより、ロック位置Ｐ２でカムアーム３が回動不能にロック保持されるように構成している。
【００２１】
図１（ａ）（ｂ）に示される例では、一対の板状体４１が、その長手方向（Ｘ方向）で突起部１ｂから離れた端部（他端部）において、ストッパー部４２が形成される一側面から離れた短手方向（Ｚ方向）の他端側に、厚み方向へ対向する突起部位を一体形成し、これら突起部位に挟持部４３ａを配設している。
挟持部４３ａは、一対の板状体４１の突出部位において長手方向全長を、その厚み方向へ面対称となるくの字形にそれぞれ折り曲げることにより、これらの対向面がカムアーム３の回動方向（Ｚ方向）に徐々に接近するように傾斜し、それらの内端同士の間隔がカムアーム３の厚み寸法よりも若干狭くなるように設定されている。
さらに、ロック部材４は、板状体４１の長手方向の一端側に亘って設けられる連結部４４を有し、連結部４４を介して板状体４１の一端側が連結されるように構成することが好ましい。
また、その他の例として図示しないが、一対の板状体４１に突起部位を一体形成せずに板状体４１の長手方向略全長に亘って挟持部４３ａを配設したり、挟持部４３ａとして板状体４１の一部が円形又は楕円形など形状に部分的に突出するように加工したり、などの変更も可能である。
【００２２】
このような本発明の実施例１に係るレバー式管継手Ａのロック装置によると、ロック手段を持たない従来構造のレバー式管継手であっても、従来から使用されているカプラー１に対し、ロック部材４となる一対の板状体４１をカムアーム３の両側面３ｃに沿って部品追加するだけで、カプラー１やカムアーム３などを部品交換しなくとも、カムアーム３をロック位置Ｐ２に保持するロック手段４３が配備されたレバー式管継手Ａに改造することができる。
その結果、従来から使用されているカプラーだけでなく、それに組み付けられているカムアームなどをそのまま有効利用することができて、経済的であるとともに自然環境の保護が図れるという利点がある。
【００２３】
さらに、ロック部材４が、板状体４１（の長手方向）の一端側に亘って設けられる連結部４４を有し、連結部４４を介して板状体４１の一端側が連結される場合には、一対の板状体４１の一端側が連結部４４で一体的に連結されるため、板状体４１の一端面に設けられるストッパー部４２がそれぞれ強度アップする。
それにより、ロック手段４３でロック位置Ｐ２に保持されたカムアーム３をロック解除位置Ｐ１に向け回動させるなど、ロック部材４にロック解除位置Ｐ１へ向かう強い外力が作用しても、カプラー１の表面１ｅに対するストッパー部４２の当接方向へ圧縮荷重を、一対の板状体４１の全体で分散して受けることになる。それにより、各ストッパー部４２に作用する圧縮荷重が半分以下に軽減されるので、それぞれのストッパー部４２の形状は全く変形せず、ロック部材４の全体を移動不能に固定するストッパー機能が継続する。
したがって、ロック手段４３でロック位置Ｐ２に保持されたカムアーム３の偶然的な回動による不用意なカプラー１及びアダプター２の分離を更に長期間に亘り防止することができる。
その結果、一対の板状体４１がそれぞれ分離して配置されるものに比べ、ロック部材４の交換時期がより延長されて寿命が更に延び、更なる稼働率の向上が図れるとともに更に経済的であるという利点がある。
【実施例２】
【００２４】
この実施例２は、図２（ａ）〜（ｃ）に示すように、ロック手段４３が一対の板状体４１とカムアーム３の両側面３ｃとの凹凸嵌合を利用しており、ロック解除位置Ｐ１からロック位置Ｐ２へ向け回動したカムアーム３の両側面３ｃをロック手段４３と係合（凹凸嵌合）させることで、カムアーム３をロック位置Ｐ２からロック解除位置Ｐ１へ向けて偶然的に回動しないようにロックした構成が、図１に示した実施例１とは異なり、それ以外の構成は図１に示した実施例１と同じものである。
詳しく説明すると、一対の板状体４１又はカムアーム３の両側面３ｃのいずれか一方に凹部４３ｂを形成し、他方に凹部４３ｂと着脱自在に嵌合する凸部４３ｃを形成し、ロック位置Ｐ２へ向け回動したカムアーム３の両側面３ｃが、凹部４３ｂ及び凸部４３ｃを介して一対の板状体４１とカムアーム３の回動方向（Ｚ方向）へ凹凸嵌合することにより、ロック位置Ｐ２でカムアーム３が回動不能にロック保持されるように構成している。
【００２５】
図２（ａ）〜（ｃ）に示される例では、一対の板状体４１にそれぞれ円形の凹部４３ｂを貫通開穿し、カムアーム３の両側面３ｃにそれぞれ球面状の凸部４３ｃを配設している。
球面状の凸部４３ｃは、コイルスプリングなどの弾性体４３ｄでカムアーム３の両側面３ｃへ向けて突出するように押圧されている。
さらに、図２（ｃ）に示されるように、一対の板状体４１の一側面に亘って帯板部４１ｂを連設するなど、一対の板状体４１が一体的に連結されることで、一対の板状体４１によるカムアーム３の挟持力を高めることが好ましい。
また、その他の例として図示しないが、板状体４１に凸部４３ｃを配設するとともにカムアーム３の両側面３ｃに凹部４３ｂを配設したり、凹部４３ｂ及び凸部４３ｃの形状を図示例以外の形状に変更したり、弾性体４３ｄを設けずに凸部４３ｃが固定配置されるようにするなどの変更も可能である。
【００２６】
このような本発明の実施例２に係るレバー式管継手Ａのロック装置によると、ロック手段を持たない従来構造のレバー式管継手であっても、従来から使用されているカプラー１に対し、ロック部材４となる一対の板状体４１をカムアーム３の両側面３ｃに沿って部品追加するとともに、両側面３ｃに凸部４３ｃ又は凹部４３ｂが形成されたカムアーム３に部品交換するだけで、それ以外のカプラー１などは部品交換しなくとも、カムアーム３をロック位置Ｐ２に保持するロック手段４３が配備されたレバー式管継手Ａに改造することができる。
その結果、従来から使用されているカプラーなどをそのまま有効利用することができて、経済的であるとともに自然環境の保護が図れるという利点がある。
【実施例３】
【００２７】
この実施例３は、図３（ａ）〜（ｃ）に示すように、ロック手段４３が板状体４１とカムアーム３の先端部３ｄとの乗り越え嵌合を利用しており、ロック解除位置Ｐ１からロック位置Ｐ２へ向け回動したカムアーム３の先端部３ｄをロック手段４３と係合（乗り越え嵌合）させることで、カムアーム３をロック位置Ｐ２からロック解除位置Ｐ１へ向けて偶然的に回動しないようにロックした構成が、図１に示した実施例１や図２に示した実施例２とは異なり、それ以外の構成は図１に示した実施例１や図２に示した実施例２と同じものである。
詳しく説明すると、一対の板状体４１に、カムアーム３の先端部３ｄと嵌合する凸状部４３ｅ又は凹状部４３ｆのいずれか一方を形成し、ロック位置Ｐ２へ向け回動したカムアーム３の先端部３ｄを、凸状部４３ｅ又は凹状部４３ｆに対してカムアーム３の回動方向（Ｚ方向）へ乗り越え嵌合させることにより、ロック位置Ｐ２でカムアーム３が回動不能にロック保持されるように構成している。
【００２８】
図３（ａ）（ｂ）に示される例では、一対の板状体４１の長手方向（Ｘ方向）の他端部に、カムアーム３の先端部３ｄが乗り越え嵌合する凸状部４３ｅを配設している。
一対の板状体４１の一側面には、両者に亘って帯板部４１ｂが連設され、帯板部４１ｂの先端をカムアーム３の先端部３ｄに沿って略Ｌ字形に屈曲するとともに、この屈曲部位４１ｃの先に、凸状部４３ｅを半球形やその他の形状に切削加工又はプレス加工などにより突出させている。
帯板部４１ｂにおいて凸状部４３ｅよりも先の端部には、カムアーム３の先端部３ｄと凸状部４３ｅの嵌合状態を解除するための第一操作部４５が設けられている。第一操作部４５は、帯板部４１ｂを板状体４１の長手方向（Ｘ方向）へ押圧操作することで、凸状部４３ｅがカムアーム３の先端部３ｄから外れるように構成されている。
さらに必要に応じて、カムアーム３の先端部３ｄに凸状部４３ｅと凹凸嵌合する凹み部（図示しない）を形成することも可能である。
また、その他の例として図３（ｃ）に示されるように、一対の板状体４１の長手方向（Ｘ方向）の他端部に、カムアーム３の先端部３ｄが乗り越え嵌合する凹状部４３ｆを配設している。
凹状部４３ｆは、帯板部４１ｂの先端をカムアーム３の先端部３ｄに沿って略Ｕ字形に屈曲することで形成されている。
帯板部４１ｂにおいて凹状部４３ｆよりも先の端部には、カムアーム３の先端部３ｄと凸状部４３ｅの嵌合状態を解除するための第二操作部４６が設けられている。第二操作部４６は、帯板部４１ｂを板状体４１の長手方向（Ｘ方向）へ押圧操作することで、凸状部４３ｅがカムアーム３の先端部３ｄから外れるように構成されている。
【００２９】
このような本発明の実施例３に係るレバー式管継手Ａのロック装置によると、ロック手段を持たない従来構造のレバー式管継手であっても、従来から使用されているカプラー１に対し、ロック部材４となる一対の板状体４１をカムアーム３の両側面３ｃに沿って部品追加するだけで、カプラー１やカムアーム３などを部品交換しなくとも、カムアーム３をロック位置Ｐ２に保持するロック手段４３が配備されたレバー式管継手Ａに改造することができる。
その結果、従来から使用されているカプラーだけでなく、それに組み付けられているカムアームなどをそのまま有効利用することができて、経済的であるとともに自然環境の保護が図れるという利点がある。
【実施例４】
【００３０】
この実施例４は、図４（ａ）（ｂ）に示すように、ロック手段４３が一対の板状体４１に亘って取り付けられる付属部品４３ｇとの当接を利用しており、ロック解除位置Ｐ１からロック位置Ｐ２へ向け回動したカムアーム３をロック手段４３の付属部品４３ｇと当接係合させることで、カムアーム３をロック位置Ｐ２からロック解除位置Ｐ１へ向けて偶然的に回動しないようにロックした構成が、図１に示した実施例１や図２に示した実施例２や図３に示した実施例３とは異なり、それ以外の構成は図１に示した実施例１や図２に示した実施例２や図３に示した実施例３と同じものである。
詳しく説明すると、ロック位置Ｐ２へ向け回動したカムアーム３が一対の板状体４１の間に入り込んだ後に、一対の板状体４１に亘り付属部品４３ｇを着脱自在に取り付けて、カムアーム３の係止面３ｅと対向又は当接させることにより、ロック位置Ｐ２でカムアーム３が回動不能にロック保持されるように構成している。
【００３１】
図４（ａ）（ｂ）に示される例では、付属部品４３ｇとしてロックピンを、一対の板状体４１にそれぞれ貫通開穿される通孔４３ｈに対して、板状体４１の厚み方向（Ｙ方向）へ横架するように挿通している。
付属部品４３ｇとなるロックピンには、紛失防止用線材４７の一端が連結され、紛失防止用線材４７の他端がカムアーム３のリング３ｒに連結されている。
また、その他の例として図示しないが、付属部品４３ｇとなるロックピンの形状を図示例以外の形状に変更したり、紛失防止用線材４７の他端をカムアーム３の回動の邪魔とならないように板状体４１に連結したり、紛失防止用線材４７を連結せずに付属部品４３ｇとなるロックピンをフリー状態にするなど、変更することも可能である。
【００３２】
このような本発明の実施例４に係るレバー式管継手Ａのロック装置によると、ロック手段を持たない従来構造のレバー式管継手であっても、従来から使用されているカプラー１に対し、ロック部材４となる一対の板状体４１をカムアーム３の両側面３ｃに沿って部品追加するとともに、カムアーム３がロック位置Ｐ２に回動した時に付属部品４３ｇとなるロックピンを一対の板状体４１に亘って取り付けるだけで、カプラー１やカムアーム３などを部品交換しなくとも、カムアーム３をロック位置Ｐ２に保持するロック手段４３が配備されたレバー式管継手Ａに改造することができる。
その結果、従来から使用されているカプラーだけでなく、それに組み付けられているカムアームなどをそのまま有効利用することができて、経済的であるとともに自然環境の保護が図れるという利点がある。
【００３３】
なお、実施例２の図２（ａ）〜（ｃ）に示される例、実施例３の図３（ａ）〜（ｃ）に示される例及び実施例４の図４（ａ）（ｂ）に示される例では、一対の板状体４１の長手方向の一端側を分離させているが、これに限定されず、図１（ａ）（ｂ）に示される例のように、一対の板状体４１の長手方向の一端側を連結部４４で連結してもよい。
それにより、実施例４の図４（ａ）（ｂ）に示される例でも実施例１と同様に「連結部４４」による作用効果が得られる。
【符号の説明】
【００３４】
Ａ  レバー式管継手                        １  カプラー
１ａ  第一筒状部                          １ｅ  表面
２  アダプター                            ２ａ  第二筒状部
３  カムアーム                            ３ｃ  側面
４  ロック部材                            ４１  板状体
４２  ストッパー部                        ４３  ロック手段
４４  連結部                              Ｐ１  ロック解除位置
Ｐ２  ロック位置
【図１】
2015068467.tif 000003
【図２】
2015068467.tif 000004
【図３】
2015068467.tif 000005
【図４】
2015068467.tif 000006